(57)【特許請求の範囲】
【請求項１】
機体横向き軸芯周りで回転する耕耘爪と、前記耕耘爪の上側を覆うカバーとが備えられ、
前記カバーが、平面視で内側に開放領域を有するフレーム部材と、前記フレーム部材に支持されて前記開放領域を覆う面部材とを備え、
前記面部材は、前記フレーム部材に対して締結具によって位置固定され、
前記開放領域は、前記カバーの中央部から左端部に至る左側の開放領域と、前記カバーの中央部から右端部に至る右側の開放領域とを有し、
前記面部材は、前記左側の開放領域を覆う左側の面部材と、前記右側の開放領域を覆う右側の面部材とを有し、
前記フレーム部材に前記面部材をスライド可能に支持する摺動支持部が備えられ、
前記面部材は、前記締結具を解除することで、前記摺動支持部に沿ったスライドによって前記フレーム部材に対して抜き差し可能となる歩行型管理機。
【請求項２】
前記カバーは、機体側面視で上向き突出状に湾曲形成され、
前記面部材は、湾曲形状に沿ってスライド可能並びに位置固定可能に前記摺動支持部に支持されている請求項１に記載の歩行型管理機。
【請求項３】
前記面部材は、前記耕耘爪に臨む側に設けられた内側面部材と、その内側面部材の外側に前記内側面部材と重複する状態で設けられた外側面部材とを備え、
前記内側面部材と前記外側面部材とが夫々、各別にスライド可能並びに位置固定可能に前記摺動支持部に支持されている請求項２に記載の歩行型管理機。
【請求項４】
前記面部材は、弾性体にて構成されている請求項１から３のいずれか１項に記載の歩行型管理機。
【発明の詳細な説明】
【技術分野】
【０００１】
本発明は、機体横向き軸芯周りで回転する耕耘爪と、前記耕耘爪の上側を覆うカバーとが備えられている歩行型管理機に関する。
【背景技術】
【０００２】
従来の歩行型管理機では、耕耘爪の上側を覆うカバーは機体に固定された状態で備えられていた（例えば、特許文献１参照）。
【先行技術文献】
【特許文献】
【０００３】
【特許文献１】特開２０１２−６０９６４号公報
【発明の概要】
【発明が解決しようとする課題】
【０００４】
歩行型管理機は、機体を走行させながら、耕耘爪を駆動回転させて圃場の耕耘作業を行う際、耕耘爪によって跳ね上げられた土がカバーの内面に衝突することが繰り返し行われる。このとき、勢いよく跳ね上げられてカバーに衝突する土がカバーの内面に付着することがある。
【０００５】
このようにカバーの内面に土が付着すると、作業が行われるに伴って飛散する土がさらに付着し易くなり、堆積して付着する土が多くなることがある。その結果、耕耘作業が阻害されるおそれがあり、又、付着する土に起因して機体全体の重量が増し、歩行しながら運転操作している作業者にとっては、作業の負担が大きくなる等の不利な面がある。そこで、カバーの内面に土が多量に付着した場合には、付着した土を取り除く処理が必要となる。
【０００６】
従来の歩行型管理機では、カバーは機体に固定されていたから、カバーに付着した土を取り除くときは、カバーの下方側から耕耘爪の間の狭い隙間を通して清掃用の棒体を差し込んで取り除く等、煩わしい作業が必要となっていた。
【０００７】
そこで、付着した土の除去作業が容易に行えるようにすることが望まれていた。
【課題を解決するための手段】
【０００８】
本発明に係る歩行型管理機の特徴構成は、機体横向き軸芯周りで回転する耕耘爪と、前記耕耘爪の上側を覆うカバーとが備えられ、
前記カバーが、平面視で内側に開放領域を有するフレーム部材と、前記フレーム部材に支持されて前記開放領域を覆う面部材とを備え、
前記面部材は、前記フレーム部材に対して締結具によって位置固定され、
前記開放領域は、前記カバーの中央部から左端部に至る左側の開放領域と、前記カバーの中央部から右端部に至る右側の開放領域とを有し、
前記面部材は、前記左側の開放領域を覆う左側の面部材と、前記右側の開放領域を覆う右側の面部材とを有し、
前記フレーム部材に前記面部材をスライド可能に支持する摺動支持部が備えられ、
前記面部材は、前記締結具を解除することで、前記摺動支持部に沿ったスライドによって前記フレーム部材に対して抜き差し可能となる点にある。
【０００９】
耕耘作業を行うときは、面部材をフレーム部材に取付けた状態で作業を行う。カバーに付着した土を取り除く作業等のメンテナンス作業を行う場合には、面部材をフレーム部から取外して、大きく開放された作業空間を確保した状態で作業を行うことができる。
【００１０】
すなわち、耕耘作業を行うときは、カバーによって耕耘爪の上側を覆うことにより、耕耘爪により跳ね上げられた土が機体外方の運転者に飛散することを防止して、良好に作業を行うことができ、カバーに付着した土を取り除くときは、機体からカバーを取り外して機体から分離された状態で容易に作業を行える。
【００１１】
従って、耕耘爪の上側を覆うカバーに付着した土の除去作業を容易に行えるようにすることが可能となった。
【００１２】
【００１３】
また、面部材は摺動支持部に沿ってスライドさせて抜き差しすることができるので、フレーム部材に対する取付け取外し作業が行い易い。又、面部材を摺動支持部に沿ってスライドさせて、少ない個数の固定具でスライド方向の位置を保持することができ、固定具の装着作業や取り外し作業が簡単に行える。
【００１４】
この構成に代えて、例えば、面部材を板面と交差する方向に沿ってフレーム部材に装着させて、面部材の周囲の複数箇所をフレーム部材にボルト等の締結手段により取り付ける構成等も考えられるが、この構成では、取付作業において、面部材のフレーム部材に対する位置合わせが行い難く煩わしい作業となる。これに対して、本構成によれば、面部材のフレーム部材に対する取付け作業としては、スライド方向での移動位置を定めるための取付作業を行えばよく、取付け取外し作業を容易に行うことができる。
【００１５】
本発明においては、前記カバーは、機体側面視で上向き突出状に湾曲形成され、
前記面部材は、湾曲形状に沿ってスライド可能並びに位置固定可能に前記摺動支持部に支持されていると好適である。
【００１６】
本構成によれば、カバーが機体側面視で上向き突出状に湾曲形成されるので、耕耘爪の上側に位置するカバーをできるだけ耕耘爪の回転軌跡に近付けることができ、耕起した土がカバーの内部で無駄に飛散せずに圃場に戻すように良好に案内することができる。
【００１７】
そして、カバーを構成する面部材も同様に上向き突出状に湾曲形成されるが、面部材は、湾曲形状に沿ってスライド可能に摺動支持部に支持される。その結果、面部材は湾曲形状のまま無理なく円滑にスライド操作することができ、取付け作業及び取外し作業が容易に行える。
【００１８】
従って、耕起した土の案内を良好に行うことができるものでありながら、取付け作業及び取外し作業が容易に行うことが可能となった。
【００１９】
本発明においては、前記面部材は、前記耕耘爪に臨む側に設けられた内側面部材と、その内側面部材の外側に前記内側面部材と重複する状態で設けられた外側面部材とを備え、
前記内側面部材と前記外側面部材とが夫々、各別にスライド可能並びに位置固定可能に前記摺動支持部に支持されていると好適である。
【００２０】
本構成によれば、内側面部材と外側面部材のうちのいずれか一方を、摺動支持部に固定しておき、他方をスライド操作させることにより、耕耘爪の外周部のうちの面部材にて覆う領域を変更することができる。例えば、内側面部材と外側面部材のうち固定される一方の端部をフレーム部材の一端部に合わせておき、スライド操作される他方をフレーム部材の他端側から外方に突出させる形態で固定すると、この突出する面部材を従来より既存の整地板に兼用することにより、構成を簡素化させることが可能となる。
【００２１】
本発明においては、前記面部材は、弾性体にて構成されていると好適である。
【００２２】
本構成によれば、面部材が弾性体にて構成されるので、耕耘爪により跳ね飛ばされた土が面部材に衝突するときに、弾性変形により衝撃力が吸収されるので、土が付着し難いものになる。又、衝突の際の振動によって既に面部材に付着している土を振り落とす作用を発揮することもできる。さらに、弾性体であることから、金属材にて構成するものに比べて、カバー全体が軽量化することができ、作業者による労力負担を軽減できる。
【図面の簡単な説明】
【００２３】
【図１】歩行型管理機の全体側面図である。
【図２】歩行型管理機の全体平面図である。
【図３】面部材を取り外した状態のカバーの斜視図である。
【図４】面部材を取付けた状態のカバーの斜視図である。
【図５】カバーの縦断側面図である。
【図６】別実施形態のカバーの縦断側面図である。
【図７】別実施形態のカバーの縦断側面図である。
【発明を実施するための形態】
【００２４】
以下、本発明に係る歩行型管理機の実施形態を図面に基づいて説明する。
図１及び図２に示すように、歩行型管理機は、ミッションケース１の下部の右及び左側部に車軸２が備えられ、右及び左の車軸２に走行用の車輪３が連結されており、ミッションケース１の前部に連結された支持フレーム４にエンジン５が支持されている。ミッションケース１の上部から斜め後方下方に伝動ケース６が延出されて、伝動ケース６から斜め後方上方に操縦ハンドル７が延出されており、伝動ケース６にロータリ耕耘装置８が備えられている。
【００２５】
図１及び図２に示すように、ロータリ耕耘装置８は、伝動ケース６の下部から右及び左側に駆動軸９が延出されて、右及び左の駆動軸９に複数の耕耘爪１０が固定されており、耕耘爪１０の上方を覆うカバー１１、抵抗棒１２、ゴム板等からなる平板１３、及び、金属製の整地板１４を備えて構成されている。右及び左の駆動軸９及び耕耘爪１０は、通常は正転方向（図１の矢印Ａ１の方向）に回転駆動されるが、逆転方向（図１の矢印Ａ２の方向）にも回転駆動することが可能である。
【００２６】
平板１３は、耕耘爪１０により跳ね上げられた土を受止めて機体外方に飛散することを防止するものである。又、整地板１４は、耕起した土を均して均平状態に整地する際に用いられる。
【００２７】
エンジン５の動力が、エンジン５の出力軸５ａからベルト伝動機構１５を介してミッションケース１の入力軸１ａに伝達される。そして、ミッションケース１から走行用車輪３に動力が伝達され、伝動ケース６を介してロータリ耕耘装置８に動力が伝達されて、機体を走行させながらロータリ耕耘装置８により圃場の耕耘作業を行うことができる。
【００２８】
図４に示すように、カバー１１は、半円筒状の天井部１１ａの右及び左側部に、扇形状の横壁部１１ｂが連結されて構成され、伝動ケース６の上方、右及び左の駆動軸９及び耕耘爪１０の上方を覆っている。
【００２９】
図３及び図４に示すように、伝動ケース６に固定されたブラケット１６が後方に延出され、幅狭の角パイプ状の筒状部材１７がブラケット１６に固定されて、筒状部材１７が天井部１１ａの開口部から上方に突出している。抵抗棒１２が筒状部材１７にスライド自在に内嵌支持され、固定ピン１８にて位置固定されている。
【００３０】
抵抗棒１２の上部には、その長手方向に沿って、複数個の固定孔１２ａが開口されている。抵抗棒１２が筒状部材１７に挿入されて、固定ピン１８が抵抗棒１２の固定孔１２ａの一つに挿入されて、抵抗棒１２が固定される。
【００３１】
図１に示す状態において、耕耘爪１０を正転方向（図１の矢印Ａ１の方向）に回転駆動しながら前進することにより、圃場の耕耘（耕起）が行われる。抵抗棒１２の下端が圃場に接地することにより、圃場に対するロータリ耕耘装置８の高さが決められて、ロータリ耕耘装置８の耕耘深さが決められる。
【００３２】
図３，４に示すように、カバー１１は、平面視で内側に開放領域を有するフレーム部材１９と、フレーム部材１９に支持されて開放領域２０を覆う面部材２１とを備えている。
面部材２１は、フレーム部材１９に対して取付け取外し自在である。フレーム部材１９には、面部材２１をスライド可能に支持する摺動支持部２２が備えられている。面部材２１は、摺動支持部２２に沿って平面視で機体後部側に向けてスライドさせて抜き外したり、摺動支持部２２に沿って平面視で機体前部側に向けてスライドさせて差し込むことにより、フレーム部材１９に対して取付け取外し自在である。
【００３３】
説明を加えると、フレーム部材１９は、板金材からなり、大きい支持強度を有する構成となっており、半円筒状の天井部１１ａには、左右一対の略矩形状の開放領域２０が形成されている。天井部１１ａの左右両側の開放領域２０の両側端縁に沿って面部材２１をスライド自在に支持するための摺動支持部２２が形成されている。従って、合計４つの摺動支持部２２が形成されている。天井部１１ａの後側端部には、面部材２１を摺動支持部２２に対して差し込み挿入可能な挿入部２３が形成されている。
【００３４】
面部材２１は、弾性体としてのゴム板にて構成されている。この面部材２１は、挿入部２３から差し込み挿入されて、摺動支持部２２によってスライド自在に支持される。面部材２１は前端部が閉塞されている摺動支持部２２の前端部２４に至るまで差し込み挿入される。この差し込み状態においては、図５に示すように、面部材２１の後端部は、摺動支持部２２の後端部２５と略同じ位置になるように設けられている。
【００３５】
４つの摺動支持部２２のうち左右方向最外側に位置する２つの摺動支持部２２における前後中間部に、締結具としての締め付け用のネジ２６が螺合装着されている。面部材２１が差し込み装着された状態で、ネジ２６を締め付けることにより、面部材２１のスライド方向の位置決めを行うことができる。又、ネジ２６を緩めることにより、面部材２１をスライドさせて取外すことができる。このようにロータリ耕耘装置８の左右両側端部に近い箇所にネジ２６を配置しているので、ロータリ耕耘装置８の横外方側からネジ２６を締め付けたり緩めたりする作業が行い易い。
【００３６】
従って、カバー１１は、機体側面視で上向き突出状に湾曲形成されている。そして、面部材２１は、湾曲形状に沿ってスライド可能並びに位置固定可能に摺動支持部２２に支持されている。
【００３７】
〔別実施形態〕
（１）上記実施形態では、面部材２１は、前端部及び後端部の夫々が、摺動支持部２２の前端部２４及び後端部２５と略同じ位置になる、言い換えると、面部材２１の前後幅が摺動支持部２２の前後長さと略同じであるものを示したが、この構成に代えて、次のように構成してもよい。
【００３８】
図６に示すように、面部材２１の前後幅が摺動支持部２２の前後長さよりも長い構成としてもよい。この構成では、面部材２１における摺動支持部２２の後端部から外方に突出する延長突出部２１Ａが、上記実施形態における平板１３を兼用する構成とすることができ、構成を簡素化することができる。  
【００３９】
（２）上記実施形態では、面部材２１が一枚の板材にて構成されるものを示したが、この構成に代えて、次のように構成するものでもよい。
【００４０】
すなわち、面部材２１が、耕耘爪１０に臨む側に設けられた内側面部材２７と、その内側面部材２７の外側に内側面部材２７と重複する状態で設けられた外側面部材２８とを備え、内側面部材２７と外側面部材２８とが夫々、各別にスライド可能並びに位置固定可能に摺動支持部２２に支持される構成としてもよい。
【００４１】
図７に示すように、この実施形態では、内側面部材２７は、耕耘爪１０に臨むように内側に位置して、上記実施形態と同様に、面部材２１の周方向に沿う長さが摺動支持部２２の周方向に沿う長さに相当する幅とし、摺動支持部２２の挿入部２３とは反対側の端部がそれ以上スライドしないように受止め支持された状態で支持される。外側面部材２８は、機体後部側が摺動支持部２２の後端部２５よりも外方に突出する状態で設けられている。外側面部材２８の外方突出部２８Ａは、上記実施形態の平板１３を兼用することができる。そして、位置決め用のネジ２６は、外側面部材２８に予め形成された挿通孔を挿通して、内側面部材２７を締め付け固定する構成となっている。
【００４２】
この実施形態では、ネジ２６を緩めて、外側面部材２８を前端部が摺動支持部２２の前端部に至るまでスライドさせ、且つ、内側面部材２７を前部側に突出するようにスライドさせることにより、上記実施形態の平板に相当する内側面部材２７の外方突出部２７Ａを機体前部側に備える構成とすることができる。例えば、耕耘爪１０を逆回転状態で駆動する場合に使用することができる。
【００４３】
（３）上記実施形態では、面部材２１が湾曲形状に沿ってスライド可能な構成としたが、この構成に代えて、面部材２１が機体左右方向にスライド可能に支持される構成としてもよい。すなわち、横壁部１１ｂの上縁に沿って側面視円弧状に湾曲形成された面部材を機体左右方向にスライドさせる構成である。
【００４４】
（４）上記実施形態では、面部材２１は、弾性体としてのゴム板にて構成されるものを示したが、ゴム板に限らず、合成樹脂材や板金製の板材等であってもよい。
【００４５】
（５）上記実施形態では、歩行型管理機として、左右一対の走行用車輪と、その車輪の機体後方側に位置するロータリ耕耘装置とを備えるものを示したが、この構成に代えて、ミッションケースから左右に延設された車軸に、耕耘爪を備えて、耕耘爪の回転により、耕耘作業と機体前進走行とを共に行うようにした構成の管理機でもよい。
【産業上の利用可能性】
【００４６】
本発明は、機体横向き軸芯周りで回転する耕耘爪と、前記耕耘爪の上側を覆うカバーとが備えられている歩行型管理機に適用できる。
【符号の説明】
【００４７】
１０        耕耘爪
１１        カバー
１９        フレーム部材
２０        開放領域
２１        面部材
２２        摺動支持部
２６        ネジ（締結具）
２７        内側面部材
２８        外側面部材
【図１】
0006731795.tif 000002
【図２】
0006731795.tif 000003
【図３】
0006731795.tif 000004
【図４】
0006731795.tif 000005
【図５】
0006731795.tif 000006
【図６】
0006731795.tif 000007
【図７】
0006731795.tif 000008